(57)【特許請求の範囲】
【請求項１】
炊飯器、湯沸かし器等の蒸気発生器具を内部の左側と右側に収納設置される収納部の天井部に、前記左側に収納設置される蒸気発生器具から発生する蒸気を前記収納部の天井面に開口した第１蒸気吸い込み口から第１蒸気吸い込みダクトを通して吸い込む第１蒸気排出ファンと、前記右側に収納設置される蒸気発生器具から発生する蒸気を前記収納部の天井面に開口した第２蒸気吸い込み口から第２蒸気吸い込みダクトを通して吸い込む第２蒸気排出ファンと、前記第１蒸気排出ファンと前記第２蒸気排出ファンから吐出される蒸気を共通の蒸気排出ダクトを通して前記収納部の前面上部に形成した蒸気排出口から前記収納部外へ排出する蒸気排出通路を設け、
前記第１蒸気排出ファンと前記第２蒸気排出ファンは、それぞれ前記第１蒸気吸い込み口と前記第２蒸気吸い込み口の内側部にファン吸い込み口が位置するように単一の電動機で駆動される同軸に配置されたシロッコファンであって、前記両ファンを共通駆動する電動機が、前記第１蒸気排出ファンと前記第２蒸気排出ファンの間に配置されたことを特徴とする蒸気排出装置。
【請求項２】
前記収納部の前面上部には、前記蒸気排出口と操作パネルが左右に配置され、前記第１蒸気排出ファンから吐出される蒸気は第１蒸気吐出ダクトを通って前記共通の蒸気排出ダクトへ流入し、前記第２蒸気排出ファンから吐出される蒸気は第２蒸気吐出ダクトを通って前記共通の蒸気排出ダクトへ流入するように通路構成されたことを特徴とする請求項１に記載の蒸気排出装置。
【請求項３】
前記第１蒸気排出ファンと前記第２蒸気排出ファンは、前記第１蒸気吸い込み口と前記第２蒸気吸い込み口の左右間の中間部で前記収納部の左右方向の中央部に配置されたことを特徴とする請求項１又は２に記載の蒸気排出装置。
【発明の詳細な説明】
【技術分野】
【０００１】
本発明は、収納部へ炊飯器、湯沸かし器等の蒸気発生を伴う器具を収納して使用するよ
うに構成した蒸気排出装置に関する。
【背景技術】
【０００２】
収納部へ蒸気発生を伴う調理器具を収納して使用するように構成した収納庫において、
収納部内の左側に炊飯器、右側に電気保温ポットが設置されて通電使用されるものがあり
、収納部内の天井面の左側と右側には、それぞれ上方へ窪んだ凹状空間があり、この左側
の凹状空間には正方形環状の蒸気吸込口が形成され、右側の凹状空間には長方形環状の蒸
気吸込口が形成され、これら蒸気吸込口の上方にはそれぞれ吸込み口８ａ、８ｂを形成し
た三角形状のダクトが配置され、このダクトの前端部に単一の遠心式送風機が配置され、
送風機の運転によって各蒸気吸込口から吸い込んだ蒸気が、各吸込み口８ａ、８ｂからダ
クトへ吸い込まれ、前面の蒸気排気口から排出されるものがある。（特許文献１参照）。
【特許文献１】特開２００７−１９５７６４号公報
【発明の開示】
【発明が解決しようとする課題】
【０００３】
この特許文献１のものでは、左側の炊飯器から発生する蒸気と右側の電気保温ポットか
ら発生する蒸気を、単一の遠心式送風機によって吸引して排出するようにしており、遠心
式送風機の配置を取れる場所として、右側の長方形環状の蒸気吸込口の前方部の空間に配
置された構成となるため、左側の炊飯器から発生する蒸気が天井部の吸い込み口から吸い
込まれて送風機を通って蒸気排出口から排出される通路が、右側の電気保温ポットから発
生する蒸気が天井部の吸い込み口から吸い込まれて送風機を通って蒸気排出口から排出さ
れる通路に比して長くなり、両方の通路の流路抵抗をバランスさせて良好な蒸気排出を行
なうようにすることが難しくなる。
【０００４】
本発明はこのような点に鑑み、収納部へ炊飯器、湯沸かし器等の蒸気発生を伴う器具が
収納されて使用されるとき、湯沸かし器から発生する蒸気を天井部の吸い込み口から吸い
込んで蒸気排出口から排出する第１蒸気排出ファンと、炊飯器から発生する蒸気を天井部
の吸い込み口から吸い込んで蒸気排出口から排出する第２蒸気排出ファンを設け、両方の
通路の流路抵抗バランスを改善して、スムースな蒸気排出が得られる構成を提供するもの
である。
【課題を解決するための手段】
【０００５】
第１発明の蒸気排出装置は、炊飯器、湯沸かし器等の蒸気発生器具を内部の左側と右側に収納設置される収納部の天井部に、前記左側に収納設置される蒸気発生器具から発生する蒸気を前記収納部の天井面に開口した第１蒸気吸い込み口から第１蒸気吸い込みダクトを通して吸い込む第１蒸気排出ファンと、前記右側に収納設置される蒸気発生器具から発生する蒸気を前記収納部の天井面に開口した第２蒸気吸い込み口から第２蒸気吸い込みダクトを通して吸い込む第２蒸気排出ファンと、前記第１蒸気排出ファンと前記第２蒸気排出ファンから吐出される蒸気を共通の蒸気排出ダクトを通して前記収納部の前面上部に形成した蒸気排出口から前記収納部外へ排出する蒸気排出通路を設け、前記第１蒸気排出ファンと前記第２蒸気排出ファンは、それぞれ前記第１蒸気吸い込み口と前記第２蒸気吸い込み口の内側部にファン吸い込み口が位置するように単一の電動機で駆動される同軸に配置されたシロッコファンであって、前記両ファンを共通駆動する電動機が、前記第１蒸気排出ファンと前記第２蒸気排出ファンの間に配置されたことを特徴とする。
【０００７】
第２発明は、第１発明において、前記収納部の前面上部には、前記蒸気排出口と操作パネルが左右に配置され、前記第１蒸気排出ファンから吐出される蒸気は第１蒸気吐出ダクトを通って前記共通の蒸気排出ダクトへ流入し、前記第２蒸気排出ファンから吐出される蒸気は第２蒸気吐出ダクトを通って前記共通の蒸気排出ダクトへ流入するように通路構成されたことを特徴とする。
【０００８】
第３発明は、第１発明又は第２発明において、前記第１蒸気排出ファンと前記第２蒸気排出ファンは、前記第１蒸気吸い込み口と前記第２蒸気吸い込み口の左右間の中間部で前記収納部の左右方向の中央部に配置されたことを特徴とする。
【発明の効果】
【０００９】
第１発明によって、左側に収納設置される蒸気発生器具から発生する蒸気と、右側に収納設置される蒸気発生器具から発生する蒸気が、それぞれの蒸気排出ファンによってそれ
ぞれの吸い込みダクトを通して吸い込まれ、これら蒸気排出ファンから吐出される蒸気は、共通の蒸気排出ダクトを通して収納部の前面上部に形成した蒸気排出口から排出されるため、各蒸気吸い込み口から蒸気排出ファンに至る蒸気吸い込みダクト構成が簡素化され、両方の通路の流路抵抗バランスが改善され、更に、第１蒸気排出ファンと第２蒸気排出ファンが、第１蒸気吸い込み口と第２蒸気吸い込み口の中間部に配置される構成となり、左右の蒸気吸い込み口から各ファンに至る蒸気吸い込みダクト構成が簡素化され、両方の通路の流路抵抗バランスが改善され、スムースな蒸気排出が得られるものとなる。
【００１１】
第１発明に限定を加えた第２発明では、収納部の前面上部に蒸気排出口と操作パネルが左右に配置されるとき、第１蒸気排出ファン及び第２蒸気排出ファンから吐出される蒸気は、各蒸気吐出ダクトを通って共通の蒸気排出ダクトへ流入するため、特に、単一の電動機で駆動されるシロッコファン形態のファンの採用によって、左右の蒸気吸い込み口から各ファンに至る蒸気吸い込みダクト構成が簡素化され、両方の通路の流路抵抗バランスが改善され、スムースな蒸気排出が得られるものとなる。
【００１２】
第１発明または第２発明に限定を加えた第３発明では、第１蒸気排出ファンと第２蒸気排出ファンが、第１蒸気吸い込み口と第２蒸気吸い込み口の左右間の中間部で収納部の左右中央部に配置されたことにより、より一層左右の蒸気吸い込み口から各ファンに至る蒸気吸い込みダクト構成が簡素化され、両方の通路の流路抵抗バランスが改善され、スムースな蒸気排出が得られるものとなる。
【発明を実施するための最良の形態】
【００１３】
本発明の蒸気排出装置は、炊飯器、湯沸かし器等の蒸気発生器具が左右に収納設置され
る収納部の天井部には、前記左側に収納設置される蒸気発生器具から発生する蒸気を前記
収納部の天井面に開口した第１蒸気吸い込み口から第１蒸気吸い込みダクトを通して吸い
込む第１蒸気排出ファンと、前記右側に収納設置される蒸気発生器具から発生する蒸気を
前記収納部の天井面に開口した第２蒸気吸い込み口から第２蒸気吸い込みダクトを通して
吸い込む第２蒸気排出ファンと、前記第１蒸気排出ファンと前記第２蒸気排出ファンから
吐出される蒸気を共通の蒸気排出ダクトを通して前記収納部の前面上部に形成した蒸気排
出口から前記収納部外へ排出する蒸気排出通路を設けたものであり、本発明の実施例を以
下に記載する。
【実施例１】
【００１４】
本発明の実施形態について説明する。図１は本発明に係る蒸気排出装置の正面斜視図、
図２は本発明に係る蒸気排出ユニットと蒸気排出装置の機体との関係を示す斜視図、図３
は本発明に係る蒸気排出ユニットのダクト部材の配置構成を説明する上面斜視図、図４は
本発明に係る蒸気排出ユニットのダクトを構成するダクト部材の上面斜視図、図５は本発
明に係る蒸気排出ユニットのダクトを構成するダクト部材を上方から見た分解斜視図、図
６は本発明に係る蒸気排出ユニットのダクトを構成するダクト部材を下方から見た分解斜
視図、図７は蒸気排出装置の右側の蒸気排出通路を説明する縦断側面図、図８は本発明に
係る蒸気排出装置の蒸気の流れを説明する平面図、図９は本発明に係る蒸気排出装置の蒸
気排出ファンの配置を説明する正面図である。
【００１５】
これらの図において、１は本発明の蒸気排出装置を示しており、蒸気排出装置１の機体
２は、炊飯器や湯沸かし器等の蒸気発生器具が左右に収納設置される前面開口の収納部（
収納室）３を備え、収納部（収納室）３の上部に位置するように、機体２の上部に蒸気排
出ユニットＪＵが取り付けられている。蒸気排出ユニットＪＵは、収納部（収納室）３の
天井部を形成するように機体２に取り付けらており、その前面に化粧パネル４が設けられ
ている。蒸気排出ユニットＪＵは、上面等の外壁を形成する外殻板５１と収納部（収納室
）３の天井面を形成する天井板５との間に、後述の各種ダクト及び蒸気排出ファンを備え
た蒸気排出通路ＪＨＴを形成し、収納部（収納室）３内の蒸気を収納部（収納室）３の天
井面に形成した蒸気吸い込み口から吸い込み、この蒸気排出通路ＪＨＴを通して化粧パネ
ル４に形成した蒸気排出口７から収納部（収納室）３外へ排出する構成である。
【００１６】
蒸気排出装置１の機体２は天板２Ｔを有し、蒸気排出ユニットＪＵは、機体２の左右側
壁上部に前後方向水平状態に取り付けたレールＲＬに載置されて、天板２Ｔの下側空間に
前後方向に収納引き出し可能に支持され、収納した所定状態を保持するように、レールＲ
Ｌにネジ等で固定している。この収納状態で、天井板５（蒸気排出ユニットＪＵから見れ
ば底板に相当）が、収納部（収納室）３の天井面を形成するようになる。
【００１７】
蒸気排出ユニットＪＵは、天板ＪＵＰと収納部（収納室）３の天井面を形成する天井板
５との間に、収納部（収納室）３の左側に収納設置される蒸気発生器具（実施例では電気
式湯沸かし器１１Ａ）から発生する蒸気を天井板５の開口５Ａに上方へ窪んで形成した第
１蒸気吸い込み口６Ａから第１蒸気吸い込みダクトＤ１を通して吸い込む第１蒸気排出フ
ァン９Ａと、右側に収納設置される蒸気発生器具（実施例では電気式炊飯器１１Ｂ）から
発生する蒸気を収納部（収納室）３の天井面に開口した第２蒸気吸い込み口６Ｂから第２
蒸気吸い込みダクトＤ２を通して吸い込む第２蒸気排出ファン９Ｂと、第１蒸気排出ファ
ン９Ａと第２蒸気排出ファン９Ｂから吐出される蒸気を共通の蒸気排出ダクトＤ３を通し
て収納部（収納室）３の前面上部に設けた化粧パネル４に形成した蒸気排出口７から収納
部（収納室）３外へ排出する蒸気排出通路ＪＨＴを構成している。共通の蒸気排出ダクト
Ｄ３は、入口側に第１蒸気吐出ダクトＤ４１と第２蒸気吐出ダクトＤ４２を一体形成して
いる。
【００１８】
また収納部（収納室）３の壁（図では背壁面）には、電気式湯沸かし器１１Ａや電気式
炊飯器１１Ｂ等の蒸気発生を伴う器具１１の電源用として、電源コンセント１０が取り付
けられている。実施例では、蒸気発生を伴う器具１１として湯沸かし器１１Ａと炊飯器１
１Ｂとを示しており、そのため、電源コンセント１０として、左側に湯沸かし器１１Ａ用
の差し込み口１０Ａが、そして右側に炊飯器１１Ｂ用の差し込み口１０Ｂを有する二口用
の電源コンセント１０を採用している。
【００１９】
第１蒸気吸い込み口６Ａと第２蒸気吸い込み口６Ｂは、前後位置と左右位置が収納部（
収納室）３の中心に対して対称的な配置であってもよいが、実施例では、第１蒸気吸い込
み口６Ａが収納部（収納室）３の左側部分の天井面の奥寄りに形成され、第２蒸気吸い込
み口６Ｂが収納部（収納室）３の右側部分の天井面の中央部分に形成されている。これは
、湯沸かし器１１Ｂと炊飯器１１Ａは、大きさや蒸気吐出口の位置等が異なるため、これ
に適合し易いことを考慮したものである。
【００２０】
第１蒸気排出ファン９Ａと第２蒸気排出ファン９Ｂは、それぞれ第１蒸気吸い込み口６
Ａと第２蒸気吸い込み口６Ｂの内側部にファン吸い込み口が位置するように同軸に配置さ
れたシロッコファンであって、両ファン９Ａ、９Ｂを共通駆動する電動機９Ｃが、第１蒸
気排出ファン９Ａと第２蒸気排出ファン９Ｂの間に配置されている。
【００２１】
収納部（収納室）３の前面上部に位置する化粧パネル４には、蒸気排出口７と操作パネ
ル１３が左右に配置されている。蒸気排出ユニットＪＵにおいて、第１蒸気排出ファン９
Ａから吐出される蒸気は、第１蒸気吐出ダクトＤ４１を通って共通の蒸気排出ダクトＤ３
へ流入し、第２蒸気排出ファン９Ｂから吐出される蒸気は、第２蒸気吐出ダクトＤ４２を
通って共通の蒸気排出ダクトＤ３へ流入するように蒸気排出通路ＪＨＴが構成されている
。  また、第１蒸気排出ファン９Ａと第２蒸気排出ファン９Ｂは、第１蒸気吸い込み口６
Ａと第２蒸気吸い込み口６Ｂの左右間の中間部で、収納部（収納室）３の左右方向の中央
部に配置されている。
【００２２】
第１蒸気吸い込みダクトＤ１、第２蒸気吸い込みダクトＤ２、共通の蒸気排出ダクトＤ
３、第１蒸気吐出ダクトＤ４１、第２蒸気吐出ダクトＤ４２、第１蒸気排出ファン９Ａの
収納部分９Ａ１、第２蒸気排出ファン９Ｂの収納部分９Ｂ１、及び電動機９Ｃの収納部分
９Ｃ１は、これらの部分を上方に膨らみ状に形成した合成樹脂製ダクト部材ＫＢが、収納
部（収納室）３の天井面を形成する天井板５の上面に取り付けられることによって形成さ
れている。
【００２３】
第１蒸気吸い込み口６Ａが収納部（収納室）３の左側部分の天井面の奥寄りに形成され
ているため、第１蒸気排出ファン９Ａの吸い込み側ＥＴから左方向へ蒲鉾状に延長するよ
うに長く形成された第１蒸気吸い込みダクトＤ１の略下側に、第１蒸気吸い込み口６Ａが
対応して連通している。また、第２蒸気吸い込み口６Ｂが収納部（収納室）３の右側部分
の天井面の中央部分に形成されているため、第２蒸気吸い込みダクトＤ２は、第２蒸気排
出ファン９Ｂの吸い込み側ＥＴから右方向へ延長するように長く形成された蒲鉾状のダク
ト部分Ｄ２１と、これに連通して前方へ平坦状に延びたダクト部分Ｄ２２とを有し、第２
蒸気吸い込み口６Ｂがダクト部分Ｄ２２に対応して連通している。
【００２４】
ダクト部材ＫＢは、図に示すように、第１蒸気吸い込みダクトＤ１、第２蒸気吸い込み
ダクトＤ２、第１蒸気排出ファン９Ａの収納部分９Ａ１、第２蒸気排出ファン９Ｂの収納
部分９Ｂ１、及び電動機９Ｃの収納部分９Ｃ１を形成したダクト基板部材ＫＢ１と、第１
蒸気排出ファン９Ａの収納部分９Ａ１を覆う第１蒸気吐出ダクトＤ４１と、第２蒸気排出
ファン９Ｂの収納部分９Ｂ１を覆うカバー部Ｊを後部に形成した第２蒸気吐出ダクトＤ４
２と、共通の蒸気排出ダクトＤ３を形成した第２ダクト部材ＫＢ２が組み合わされた構成
であり、ダクト基板部材ＫＢ１の上に第２ダクト部材ＫＢ２が組み合わされることによっ
て、第１蒸気吸い込みダクトＤ１及び第２蒸気吸い込みダクトＤ２を通って第１蒸気排出
ファン９Ａと第２蒸気排出ファン９Ｂへ吸い込まれた蒸気が、第１蒸気吐出ダクトＤ４１
及び第２蒸気吐出ダクトＤ４２から共通の蒸気排出ダクトＤ３と通って、蒸気排出口７か
ら前方へ排出される蒸気排出通路ＪＨＴが形成されている。なお、電動機９Ｃの収納部分
９Ｃ１は、排出される蒸気に触れないようにするために、蒸気排出通路ＪＨＴの外側にな
るように、ダクト部材ＫＢの上面に開口した状態に形成される。
【００２５】
化粧パネル４の後部にはマイクロコンピュータ式の制御部１２が収納され、化粧パネル
４の前面には操作パネル１３があり、操作パネル１３には、蒸気排出装置１の電源の入／
切（ＯＮ／ＯＦＦ）スイッチ部１４とその他の操作スイッチや表示部が配置され、それぞ
れ制御部１２に電気的に接続され、蒸気排出ファン９Ａ、９Ｂも制御部１２に電気的に接
続されている。二口用の電源コンセント１０は、差し込み口１０Ａが湯沸かし器１１Ａ用
であり、差し込み口１０Ｂが炊飯器１１Ｂ用として、ラベル等で表示されている。
【００２６】
電源プラグ２５Ｂを家屋内のコンセントに差し込んだ状態で、蒸気排出装置１に電源が
供給された状態となり、電源コンセント１０へ電力が供給された状態である。この状態で
、電源コンセント１０の差し込み口１０Ａへ湯沸かし器１１Ａの電源プラグを差し込むか
、差し込み口１０Ｂへ炊飯器１１Ｂの電源プラグを差し込み、またはその両方を差し込む
。この状態で、電源の入／切（ＯＮ／ＯＦＦ）スイッチ部１４を押す操作によって、その
スイッチがＯＮしてその信号が制御部１２へ入力され、自動標準モードの表示部１６のＬ
ＥＤが点灯し、制御部１２の動作によって電動機９Ｃが運転して蒸気排出ファン９Ａ、９
Ｂが始動して高速運転状態となる。多くの蒸気発生となる湯沸かし器１１Ａの沸き上げ終
了及びまたは炊飯器１１Ｂの炊き上げ終了まで、制御部１２の動作によってこの状態が継
続する。そして、制御部１２の動作によって湯沸かし器１１Ａの沸き上げ終了及びまたは
炊飯器１１Ｂの炊き上げ終了となり保温状態になったとき、電源コンセント１０の電力が
低下するため、制御部１２がこの状態を検出して、電動機９Ｃによる蒸気排出ファン９Ａ
、９Ｂの回転を低速回転状態に切り替える。この低速回転状態を所定時間継続した後、電
動機９Ｃの運転を停止して蒸気排出ファン９Ａ、９Ｂの運転を停止する。なお、動作モー
ドは動作モード選択スイッチ部１５の操作によって設定された動作モードを選択して、動
作させることができる。
【００２７】
このような蒸気排出ファン９Ａ、９Ｂの動作において、第１蒸気吸い込み口６Ａ及びま
たは第２蒸気吸い込み口６Ｂから吸い込まれた蒸気は、それぞれ第１蒸気吐出ダクトＤ４
１、第２蒸気吐出ダクトＤ４２を通って共通の蒸気排出ダクトＤ３へ流入し、蒸気排出口
７から前方へ排出される。
【００２８】
上記のように、左側に収納設置される蒸気発生器具１１から発生する蒸気と、右側に収
納設置される蒸気発生器具１１から発生する蒸気が、それぞれの蒸気排出ファン９Ａ、９
Ｂによってそれぞれの吸い込みダクトＤ１、Ｄ２を通して吸い込まれ、これら蒸気排出フ
ァン９Ａ、９Ｂから吐出される蒸気は、共通の蒸気排出ダクトＤ３を通して収納部３の前
面上部に形成した蒸気排出口７から排出されるため、各蒸気吸い込み口６Ａ、６Ｂから蒸
気排出ファン９Ａ、９Ａに至る蒸気吸い込みダクト構成が簡素化され、両方の通路の流路
抵抗バランスが改善され、スムースな蒸気排出が得られるものとなる。
【００２９】
また、第１蒸気排出ファン９Ａと第２蒸気排出ファン９Ｂが、第１蒸気吸い込み口６Ａ
と第２蒸気吸い込み口６Ｂの中間部に配置される構成となり、左右の蒸気吸い込み口６Ａ
、６Ｂから各ファン９Ａ、９Ｂに至る蒸気吸い込みダクト構成が簡素化され、両方の通路
の流路抵抗バランスが改善され、スムースな蒸気排出が得られるものとなる。
【００３０】
また、収納部３の前面上部に蒸気排出口７と操作パネル１３が左右に配置されるとき、
第１蒸気排出ファン９Ａ及び第２蒸気排出ファン９Ａから吐出される蒸気は、各蒸気吐出
ダクトＤ４１、Ｄ４２を通って共通の蒸気排出ダクトＤ３へ流入するため、特に、単一の
電動機で駆動されるシロッコファン形態のファン９Ａ、９Ｂの採用によって、左右の蒸気
吸い込み口６Ａ、６Ｂから各ファン９Ａ、９Ｂに至る蒸気吸い込みダクト構成が簡素化さ
れ、両方の通路の流路抵抗バランスが改善され、スムースな蒸気排出が得られるものとな
る。
【００３１】
更に、第１蒸気排出ファン９Ａと第２蒸気排出ファン９Ｂが、第１蒸気吸い込み口６Ａ
と第２蒸気吸い込み口６Ｂの左右間の中間部で収納部３の左右中央部に配置されたことに
より、より一層左右の蒸気吸い込み口６Ａ、６Ｂから各ファン９Ａ、９Ｂに至る蒸気吸い
込みダクト構成が簡素化され、両方の通路の流路抵抗バランスが改善され、スムースな蒸
気排出が得られるものとなる。
【産業上の利用可能性】
【００３２】
本発明は、上記実施例に示した構成に限定されず、種々の形態の蒸気排出装置に適用で
きるものであり、本発明の技術範囲において種々の形態を包含するものである。
【図面の簡単な説明】
【００３３】
【図１】本発明に係る蒸気排出装置の正面斜視図である。（実施例１）
【図２】本発明に係る蒸気排出ユニットと蒸気排出装置の機体との関係を示す斜視図である。（実施例１）
【図３】本発明に係る蒸気排出ユニットのダクト部材の配置構成を説明する上面斜視図である。（実施例１）
【図４】本発明に係る蒸気排出ユニットのダクトを構成するダクト部材の上面斜視図である。（実施例１）
【図５】本発明に係る蒸気排出ユニットのダクトを構成するダクト部材を上方から見た分解斜視図である。（実施例１）
【図６】本発明に係る蒸気排出ユニットのダクトを構成するダクト部材を下方から見た分解斜視図である。（実施例１）
【図７】本発明に係る蒸気排出装置の右側の蒸気排出通路を説明する縦断側面図である。（実施例１）
【図８】本発明に係る蒸気排出装置の蒸気の流れを説明する平面図である。（実施例１）
【図９】本発明に係る蒸気排出装置の蒸気排出ファンの配置を説明する正面図である。（実施例１）
【符号の説明】
【００３４】
１・・・・・蒸気排出装置
２・・・・・蒸気排出装置の機体
３・・・・・収納部（収納室）
４・・・・・化粧パネル
６Ａ、６Ｂ・・・・・蒸気吸い込み口
７・・・・・蒸気排出口
９Ａ・・・第１蒸気排出ファン
９Ｂ・・・・第２蒸気排出ファン
９Ｃ・・・・電動機
９Ａ１・・・第１蒸気排出ファンの収納部
９Ｂ１・・・第２蒸気排出ファンの収納部
９Ｃ１・・・電動機の収納部
１０・・・・電源コンセント
１０Ａ・・・湯沸かし器用の差し込み口
１０Ｂ・・・炊飯器用の差し込み口
１１Ａ・・・湯沸かし器
１１Ｂ・・・炊飯器
１２・・・・制御部
１３・・・・操作パネル
１４・・・・電源の入／切（ＯＮ／ＯＦＦ）スイッチ部
２５Ｂ・・・電源プラグ
Ｄ１・・・・第１蒸気吸い込みダクト
Ｄ２・・・・第２蒸気吸い込みダクト
Ｄ３・・・・共通の蒸気排出ダクト
Ｄ４１・・・第１蒸気吐出ダクト
Ｄ４２・・・第２蒸気吐出ダクト
ＪＵ・・・・蒸気排出ユニット
ＪＨＴ・・・蒸気排出通路
ＫＢ・・・・ダクト部材
ＫＢ１・・・ダクト基板部材
ＫＢ２・・・第２ダクト部材
【図１】
0005171187.tif 000002
【図２】
0005171187.tif 000003
【図３】
0005171187.tif 000004
【図４】
0005171187.tif 000005
【図５】
0005171187.tif 000006
【図６】
0005171187.tif 000007
【図７】
0005171187.tif 000008
【図８】
0005171187.tif 000009
【図９】
0005171187.tif 000010